(57)【特許請求の範囲】
【請求項１】
鍵長手方向に延びる２つの側壁に挟まれた中空部を有する鍵と、楽器本体に設置され該鍵を上下方向に回動可能に支持する鍵フレームと、鍵を上下方向に案内する鍵ガイドとを備え、
前記鍵ガイドは、前記中空部内で前記鍵の両側壁内面に接触して鍵の上下動を案内するガイド部位を備え、
該ガイド部位は１つの鍵に対して異なる高さで複数設けられ、鍵幅方向の位置を相対的に調整可能とされ、
前記複数のガイド部位の鍵幅方向の位置を相対的に調整することで鍵の上面を水平に調整可能としたことを特徴とする電子楽器用鍵盤装置。
【請求項２】
前記鍵ガイドは１つの鍵に対して鍵長手方向の異なる位置に複数設けられ、これら複数の鍵ガイドのガイド部位が相互に異なる高さで設けられていることを特徴とする請求項１に記載の電子楽器用鍵盤装置。
【請求項３】
前記鍵ガイドは、前記鍵フレームに固定され前記鍵の中空部内に延びた１つの支持体と、該支持体に相互に異なる高さで支持された複数の接触体とを備え、該複数の接触体は、鍵配列方向の位置を相対的に調節可能に支持され各々鍵の上下動を案内し得るように前記鍵の両側壁内面に接触して前記ガイド部位を構成していることを特徴とする請求項１に記載の電子楽器用鍵盤装置。
【請求項４】
前記接触体が２つ設けられ、その内の一方が前記支持体に固定され、他方が支持体に対し位置調節可能とされていることを特徴とする請求項３に記載の電子楽器用鍵盤装置。
【発明の詳細な説明】
【技術分野】
【０００１】
本発明は、電子楽器のための鍵盤装置に関する。
【背景技術】
【０００２】
電子楽器用鍵盤装置においては、通常、鍵が、上壁と前壁と側壁とで囲まれた中空部を有し、後部を回動支点により支持され、前寄り部分を鍵ガイドによりガイドされて、上下方向に回動するようになっている。鍵ガイドは、鍵フレームから鍵の中空部内に延び、鍵の側壁内面に接触するように配置され、鍵が左右方向に振れるのを防止して上下動をガイドする。
【０００３】
しかしながら、このような鍵ガイドでは、演奏者側から鍵長手方向に見たときの鍵の傾き（左右方向への傾き）を防止することはできなかった。特に、鍵盤楽器の鍵は、図１に示すように、白鍵と黒鍵からなり、白鍵は黒鍵との位置関係によって平面形状が異なっている。すなわち、図１の下部に示した音名で示すと、D，G，Aの鍵は左右ほぼ対称形状、E，Bの鍵は左側に黒鍵配置用の凹部が形成される左右非対称形状、C，Fの鍵は右側に黒鍵配置用の凹部が形成される左右非対称形状となっている。これらの鍵を樹脂で射出成形すると、成形品は冷却固化する間に、各部分での収縮率の差から歪が生じる。その結果、白鍵を音名順に並べると、鍵の上面の傾きが不揃いになってしまう。図２は、白鍵Ｗ及び黒鍵Ｂの前端面を表しており、白鍵Ｗが傾いている様子を示している。
【０００４】
これに対処すべく種々の手段が提案されている。特許文献１に記載の鍵ガイドは、各鍵に対応して鍵フレーム（鍵盤シャーシ）の前端からの突出片を上方へ折り曲げて差し込み部を形成し、これにガイド材を差し込んで鍵ガイドを構成するものであり、黒鍵には１つの鍵ガイド、白鍵には２つの鍵ガイドを設ける。白鍵の傾きの矯正は、２つの差し込み部を変形させて傾斜を変えることにより行なわれる。
【０００５】
特許文献２の鍵ガイドは、鍵の後端部に上下方向に延びる溝を形成し、鍵フレーム（鍵盤シャーシ）に該溝に遊嵌するガイドピンを鍵の後方から前方に向けて挿入し、ガイドピンの向きを変えることにより、鍵の左右への傾きを調整するものである。
【０００６】
特許文献３に記載の鍵ガイドは、鍵フレームから起立するガイド片に、該ガイド片の受け入れ穴を有したキャップを被せ、このキャップで鍵の側壁内面をガイドするようにしたものであり、受け入れ穴を偏心させたキャップを用意して鍵の歪みに適合したキャップを選択したり、受け入れ穴を大きくし左右方向に位置調整可能にすることにより、鍵の並びを整えるものである。
【特許文献１】特開平８−１７９７５８号公報
【特許文献２】実公平７−４３７５７号公報
【特許文献３】特許第３７０２８７４号公報
【発明の開示】
【発明が解決しようとする課題】
【０００７】
しかしながら、特許文献１の鍵ガイドは、板金の突出片を上方へ曲げて形成された差し込み部を塑性変形させて傾きの調整を行なうものであり、塑性変形は差し込み部の根元で行なう一方、鍵をガイドするのは差し込み部に差し込まれるガイド材の上端であるので、変形箇所とガイド箇所が離れており、正確な調整を行ない難い。また、材料が板金のものに限定される。特許文献３の鍵ガイドも、向きが相違するものの、ガイドピンの根元での変形でピン先端のガイド位置を変えるものなので、変形箇所とガイド箇所が離れており、正確な調整を行ない難い。また、ガイドピンは金属製のものに限定される。特許文献３の鍵ガイドは、ガイド片に対する受け入れ穴の位置で調整を行なうので、左右方向への位置調整しかできず、鍵の傾きの調整を行なうことはできない。このように、従来の鍵ガイドでは、鍵の傾きの矯正を正確に行なうことが困難であった。
【０００８】
本発明は、このような問題を解決し、鍵の傾きの正確な矯正を容易に行なうことができ、材料が金属に限定されない鍵ガイドを備えた電子楽器用鍵盤装置を提供することを目的とする。
【課題を解決するための手段】
【０００９】
本発明は、前記目的を達成するため、鍵長手方向に延びる２つの側壁に挟まれた中空部を有する鍵と、楽器本体に設置され該鍵を上下方向に回動可能に支持する鍵フレームと、鍵を上下方向に案内する鍵ガイドとを備え、前記鍵ガイドは、前記中空部内で前記鍵の両側壁内面に接触して鍵の上下動を案内するガイド部位を備え、該ガイド部位は１つの鍵に対して異なる高さで複数設けられ、鍵幅方向の位置を相対的に調整可能とされ、前記複数のガイド部位の鍵幅方向の位置を相対的に調整することで鍵の上面を水平に調整可能としたことを特徴とする電子楽器用鍵盤装置を提供するものである。
【００１０】
本明細書及び特許請求の範囲においては、電子楽器及びその鍵盤装置における演奏者に近い方を前方、遠い方を後方と称することとする。
【発明の効果】
【００１１】
（１）本発明の第１の形態に係る電子鍵盤楽器は、鍵を上下方向に案内する鍵ガイドが、鍵の側壁内面に接触して鍵の上下動を案内するガイド部位を備え、該ガイド部位は１つの鍵に対して異なる高さで複数設けられ、鍵幅方向の位置を相対的に調整可能とされている。したがって、相互に異なる高さに位置するガイド部位を鍵幅方向に位置調整することにより、鍵の側壁内面に対する接触位置を鍵の傾きに対応して高さ方向で異ならせることができ、これにより鍵の傾きを矯正することができる。この矯正は、鍵への接触箇所そのものの位置を変更して行なわれるので、調整を容易に且つ正確に行なうことができる。また、鍵ガイドは、鍵の側壁内面に接触して鍵の上下動を案内するガイド部位を備えればよいので、材料は金属に限定されず、プラスチック等の種々のものを使用することができる。
【００１２】
（２）上記（１）の電子鍵盤楽器は、前記鍵ガイドが１つの鍵に対して鍵長手方向の異なる位置に複数設けられ、これら複数の鍵ガイドのガイド部位が支持体には相互に異なる高さで設けられて接触体が支持されており、これらの接触体は相互に鍵幅方向に位置調整可能とされたものとすることができる。この場合は、複数の鍵ガイドのいずれかのガイド部位を位置調節することにより、鍵の傾きを矯正することができる。
【００１３】
（３）上記（１）の電子鍵盤楽器は、前記鍵ガイドが、前記鍵フレームに固定され前記鍵の中空部内に延びた支持体と、該支持体に支持された複数の接触体とを備え、該複数の接触体は、１つの支持体において相互に異なる高さで支持されており、鍵幅方向の位置を相対的に調整可能とされ各々鍵の上下動を案内し得るように前記鍵の側壁内面に接触して前記ガイド部位を構成しているものとすることができる。この場合は、１つの支持体に支持された接触体を鍵幅方向に位置調整することにより、鍵の傾きを矯正することができる。
【００１４】
（４）上記（１）の電子鍵盤楽器は、前記鍵ガイドが、前記鍵フレームに固定され前記鍵の中空部内に延びた支持体と、該支持体により鍵配列方向の位置を調節可能に支持された接触体とを備え、該支持体及び接触体は、各々鍵の上下動を案内し得るように前記鍵の側壁内面に接触して前記ガイド部位を構成しているものとすることができる。この場合は、鍵フレームに固定された支持体を１つのガイド部位とし、これに対し他方のガイド部位である接触体位置調節のみで鍵の傾きを矯正することができ、調整作業がより容易となる。
【００１５】
（５）上記（３）の電子鍵盤楽器は、前記接触体が２つ設けられ、その一方が前記支持体に固定され、他方が支持体に対し位置調節可能とされたものとすることができる。このように、接触体の一方を固定することにより、調整は他方の接触体のみで行なえばよく、その調整中に一方の接触体が動いてしまうこともないので、調整作業がより容易となる。
【００１６】
（６）上記（５）の電子鍵盤楽器は、前記２つの接触体の内、下方の接触体が前記支持体に固定され、上方の接触体が支持体に対し位置調節可能とされたものとすることができる。このように、下方の接触体を固定することにより、調整は到達させやすい上方の接触体のみで行なえばよく、その調整中に下方の接触体を移動させることがないので、調整作業がさらに容易となる。
【発明を実施するための最良の形態】
【００１７】
以下、本発明の実施形態について添付図面を参照しつつ説明する。図面中の同一又は同種の部分については、同じ番号を付して説明を省略することがある。
【００１８】
図３は、本発明の一実施形態に係る電子楽器用鍵盤装置の一部を示す縦断側面図であり、図４はその平面図、図５は正面図である。これらの図は、鍵ガイドの構造を説明するための要部を抽出して示している。なお、図４では、図５に表された白鍵及び黒鍵の各１鍵のみを示している。
【００１９】
この実施形態に係る鍵盤装置は、鍵１０と、楽器本体に設置され鍵１０を支持する鍵フレーム２０と、鍵の後端部を回動可能に支持する回動支点３０と、鍵を上下方向に案内する鍵ガイド４０ａ，４０ｂとを備えている。鍵には、白鍵１０Ｗと黒鍵１０Ｂとがあるが、いずれも上壁１１と前壁１２と側壁１３とで囲まれた中空部１４を有している。
【００２０】
鍵１０にはさらに、やや後方寄りに下方へ延びる突起１７が設けられ、鍵フレーム２０にはその下方にスイッチ７１が取り付けられている。また、鍵１０には、側壁１３の前寄り部分から下方へ延びるフック部１８が設けられており、鍵フレーム２０には該フック部を通す開口部が形成されている。鍵フレーム２０には、フック部先端の爪部１８０が当接する箇所に緩衝部材２１、鍵が下降時に当接する箇所に緩衝部材２２が取り付けられている。
【００２１】
以下では、白鍵１０Ｗの鍵ガイドについて説明し、黒鍵１０Ｂの鍵ガイドについては、白鍵のものと同様の構造であるので共通の事項については説明を省略する。
【００２２】
この実施形態では、１つの鍵に対して鍵長手方向の異なる位置に２つの鍵ガイド４０ａ，４０ｂが設けられている。図６は、前方に位置する２つの鍵ガイド４０ａを鍵と共に示す縦断面図であり後方から見た状態を示している。後方の鍵ガイド４０ｂは、後述する点を除き、前方の鍵ガイド部４０ａと同じ構造である。鍵ガイド４０ａは、鍵フレーム２０に固定され鍵の中空部内に延びた棒状の支持体４１ａと、該支持体に支持された接触体４２ａとを備えている。支持体４１ａを鍵フレーム２０に固定するには、ねじ止め、接着、溶接等の適宜の手段を用いることができ、或いは、板金、樹脂等により鍵フレームと支持体とを一体のものとして製造することもできる。接触体４２ａは、円柱の両端部を半球面とした形状を有している。支持体４１ａには左右方向（鍵の幅方向）に延びる貫通孔が形成され、接触体４２ａがその貫通孔に挿入されている。接触体４２ａの長さは、鍵側壁内面に近接してガイド機能を奏するように、白鍵１０Ｗの側壁内面の離反距離より僅かに小さくなるように決められる。これにより、接触体４２ａは鍵の上下動を案内するガイド部位を構成している。支持体４１ａの貫通孔と接触体４２ａとは緊く嵌合しており、支持体４１ａの貫通孔に対して接触体４２ａは移動可能であるが、移動後の通常の楽器の使用時には位置が保持される。支持体４１ａに対する接触体４２ａの位置調整は、例えば、ペンチ型の２本の交差レバーを有した工具を用いて行なうことができる。
【００２３】
後方に位置する鍵ガイド部４０ｂは、鍵ガイド４０ａと同様の構造を有するが、その支持体４１ｂは、鍵ガイド４０ａの支持体４１ａより短く、接触体４２ｂは接触体４２ａより低い位置で支持体４１ｂに支持されている点において異なっている。後方の鍵ガイド部４０ｂにおいても接触体４２ｂは鍵の上下動を案内するガイド部位を構成している。したがって、図６では、支持体４１ａの背後に支持体４１ｂが隠れ、接触体４２ａの下方に接触体４２ｂが見えている。これらの鍵ガイド４０ａ，４０ｂは、押鍵により鍵１０の上壁１１に接触しないように高さが決められる。
【００２４】
鍵ガイド４０ａ，４０ｂによれば、次のようにして鍵の傾きを矯正することができる。図６は、鍵及び鍵ガイド部の縦断正面図であり、一点鎖線が矯正前の鍵の外形を示し、実線が矯正後の鍵の状態、すなわち、鍵上面が同一平面上に並んでいる状態を示している。図における左側の白鍵１０ＷＬは、上壁１１に対して側壁１３が傾斜した形状に成形されたものである。鍵を鍵フレームに装着した際、矯正前は、接触体４２ａ，４２ｂが支持体４１ａから左右へ同じ距離突出する状態となっており、その結果、側壁１３が鉛直方向に延びるように鍵がガイドされ、鍵上面は右側が下がるように傾いていた。これに対して、後方の鍵ガイド部４０ｂの接触体４２ｂを距離ｄ１だけ右方へ移動させる調整を行ない、その結果、側壁１３は鉛直方向から傾くが、上面は水平となった。
【００２５】
右側の白鍵１０ＷＲは、側壁１３の厚さが均一ではなく、外面は上壁１１に対して垂直となっているが、内面は上から下に行くに従って左方へ傾斜した形状に成形されたものである。鍵を鍵フレームに装着した際、矯正前は、接触体４２ａ，４２ｂが支持体４１ａから左右へ同じ距離突出する状態となっていた結果、側壁１３の内面が鉛直方向に延びるように鍵がガイドされ、鍵上面は左側が下がるように傾いていた。これに対して、前方の鍵ガイド部４０ａの接触体４２ａを距離ｄ２だけ右方へ移動させる調整を行ない、その結果、上面は水平となった。
【００２６】
このように、この鍵ガイド４０ａ，４０ｂによれば、様々な成形時の歪に起因する鍵の傾きに対して、矯正をすることができる。
【００２７】
黒鍵１０Ｂにも同様に鍵ガイド４０ａ’，４０ｂ’が設けられている。これらの鍵ガイドは、黒鍵１０Ｂの側壁内面間の距離に応じて接触体の長さが決められている以外は、白鍵１０Ｗのための鍵ガイド４０ａ，４０ｂと同じ構造であり、同様に機能する。
【００２８】
図７は、本発明の他の実施形態に係る電子楽器用鍵盤装置の一部を示す縦断側面図であり、図８はその平面図、図９は正面図である。これらの図は、鍵ガイドの構造を説明するための要部を抽出して示している。なお、図８では、図９に表された白鍵及び黒鍵の各１鍵のみを示している。
【００２９】
ここでも、白鍵１０Ｗの鍵ガイドについて説明し、黒鍵１０Ｂの鍵ガイドについては、白鍵のものと同様の構造であるので共通の事項については説明を省略する。
【００３０】
この実施形態では、１つの鍵に対して１つの鍵ガイド４０ｃが設けられている。図１０は、鍵ガイド４０ｃを鍵の断面と共に示している。鍵ガイド４０ｃは、鍵フレーム２０に固定され鍵の中空部内に延びた棒状の支持体４１ｃと、該支持体に異なる高さで支持された２つの接触体４２１、４２２とを備えている。鍵ガイド部４０ｃは、２つの接触体を備える以外は、鍵ガイド部４０ａと同様の構造であるので、以下では主に異なる部分について説明する。接触体４２１、４２２は、円柱の両端部を半球面とした形状を有し、支持体４１ａの上下２箇所には設けられた貫通孔に挿入されている。各接触体の長さは、鍵側壁内面に近接してガイド機能を奏するように、白鍵１０Ｗの側壁内面の離反距離より僅かに小さくなるように決められる。これにより、接触体４２１、４２２は鍵の上下動を案内するガイド部位を構成している。支持体４１ｃの貫通孔と接触体４２１、４２２とは緊く嵌合しており、移動可能であるが、移動後はその位置に保持される。
【００３１】
この実施形態では、１つの鍵ガイド４０ｃにより鍵の傾きの矯正を行なうことができる。図１０は、一点鎖線が矯正前の鍵の外形を示し、実線が矯正後の鍵の並び、すなわち、鍵上面が同一平面上に並んでいる状態を示している。図における左側の白鍵１０ＷＬは、鍵を鍵フレームに装着した際、矯正前は、接触体４２１、４２２が支持体４１ｃから左右へ同じ距離突出する状態となっており、その結果、側壁１３が鉛直方向に延びるように鍵がガイドされ、鍵上面は右側が下がるように傾いていた。これに対して、下方の接触体４２２を距離ｄ１だけ右方へ移動させる調整を行ない、その結果、側壁１３は鉛直方向から傾くが、上面は水平となった。
【００３２】
右側の白鍵１０ＷＲは、鍵を鍵フレームに装着した際、矯正前は、接触体４２１、４２２が支持体４１ｃから左右へ同じ距離突出する状態となっていた結果、側壁１３の内面が鉛直方向に延びるように鍵がガイドされ、鍵上面は左側が下がるように傾いていた。これに対して、上方の接触体４２１を距離ｄ２だけ右方へ移動させる調整を行ない、その結果、上面は水平となった。
【００３３】
このように、この鍵ガイド４０ｃによれば、様々な成形時の歪に起因する鍵の傾きに対して、矯正をすることができる。
【００３４】
黒鍵１０Ｂにも同様に鍵ガイド４０ｃ’が設けられている。これらの鍵ガイドは、黒鍵１０Ｂの側壁内面間の距離に応じて接触体の長さが決められている以外は、白鍵１０Ｗのための鍵ガイド４０ｃと同じ構造であり、同様に機能する。
【００３５】
接触体４２１、４２２は、支持体４１ｃに対して両方を移動可能にするほか、一方を固定してもよい。鍵の傾きは２つの接触体の鍵幅方向の相対的な位置によって決まるので、一方の接触体を固定しても他方を移動することにより、傾きの矯正をすることができる。こうすることにより、一方の接触体の位置調整中に他方の接触体が動いてしまうことがなく、調整作業がより容易となる。
【００３６】
また、接触体４２１、４２２の内、下方の接触体４２２を固定し、上方の接触体４２１を位置調節可能とすれば、調整は到達させやすい上方の接触体４２１で行なうことができ、その調整中に下方の接触体４２２を動かすことがないので、調整作業がさらに容易となる。
【００３７】
図１１は、本発明のさらに他の実施形態に係る電子楽器用鍵盤装置の一部を示す縦断側面図であり、図１２はその平面図、図１３は図１１のXIII−XIII線に沿う断面図である。これらの図は、鍵ガイドの構造を説明するための要部を抽出して示している。なお、図１２では、図１３に表された内の２本の白鍵及び１本の黒鍵のみを示している。ここでも、白鍵１０Ｗの鍵ガイドについて説明し、黒鍵１０Ｂの鍵ガイドについては、白鍵のものと同様の構造であるので共通の事項については説明を省略する。
【００３８】
この実施形態では、１つの鍵に対して１つの鍵ガイド４０ｄが設けられている。図１４は、鍵ガイド４０ｄを鍵と共に示す縦断面図であり後方から見た状態を示している。鍵ガイド４０ｄは、鍵フレーム２０に固定され鍵の中空部内に延びた支持体４１ｄと、該支持体に支持された１つの接触体４２３とを備えている。この実施形態では、支持体４１ｄは、鍵フレーム２０から上方に延びる棒体４１１と、該棒体４１１の側面から鍵幅方向に突出した突出部４１２とを備え、これらは一体成形されている。突出部４１２は棒体４１１のほぼ中央部の高さに位置し、接触体４２３は該棒体４１１より高い位置において棒体４１１に設けられた貫通孔に挿入されている。棒体４１１の貫通孔と接触体４２３とは緊く嵌合しており、移動可能であるが、移動後はその位置に保持される。接触体４２３及び突出部４１２は、円柱の両端部を半球面とした形状を有し、各々の両端間の長さは、鍵側壁内面に近接してガイド機能を奏するように、白鍵１０Ｗの側壁内面の離反距離より僅かに小さくなるように決められる。これにより、接触体４２３及び突出部４１２は鍵の上下動を案内するガイド部位を構成している。
【００３９】
図１４では、鍵ガイド４０ｄの２種類の例を示しており、図における左側の鍵ガイド４０Ｌでは突出部４１２が接触体４２３より上側、右側の鍵ガイド４０Ｒでは接触体４２３が突出部４１２より上側に配置されている。これらの配置は、鍵盤装置の中でいずれかに統一することも混在させることも可能である。
【００４０】
これらの鍵ガイドにより鍵の傾きを矯正するには、左側の鍵ガイド４０Ｌでは下側に位置する接触体４２３、右側の鍵ガイド４０Ｒでは上側に位置する接触体４２３の位置を調整すればよい。調整の仕方は、上に述べた実施形態と同様である。このように、調整は他方の接触体のみで行なえばよく、その調整中に一方の突出部４１２が動いてしまうこともないので、調整作業がより容易となる。特に、操作を及ぼしやすい上方に接触体４２３を配置すれば、作業がより容易となる。黒鍵にも同様の鍵ガイドを設けることができ、黒鍵１０の側壁内面間の距離に応じて接触体及び突出部の長さが決められる。
【００４１】
上に述べた鍵ガイドを構成する支持体及び接触体は、金属、プラスチック、木材等、種々の材料で製作することができる。
【００４２】
図１５は、接触体を調節後の位置に保持するためのロック機構６０を備えた鍵ガイドの例を縦断面で示しており、図１６はその平面図、図１７は図１６の要部の拡大図である。この鍵ガイド部４０の支持体４１には、接触体４２を通すための貫通孔に加えて、軸方向に沿う縦穴４１５が形成されている。縦穴４１５は、支持体４１の上端面に開いており、そこにスライダ６１が上下動可能に挿入され、上端部は縦穴４１５から上方へ突出している。スライダ６１の中央部には、鍵幅方向に貫通する開口部６１１が形成され、そこに接触体４２が通されている。開口部６１１の上下方向の寸法は、接触体４２の上下寸法より大きくされ、その差分でスライダ６１が上下方向に摺動可能となっている。縦穴４１５内において、スライダ６１の下方には、圧縮コイルばね６１２が挿入され、スライダ６１を上方へ向けて押圧している。
【００４３】
図１７に示すように、接触体４２の下面には鍵幅方向に並ぶ多数の凹凸部４２５が波状に形成されており、スライダ６１には、開口部６１１の下部内面に突出した突起６１３が形成されている。スライダ６１に作用するばね６１２の力により、突起６１３は、凹凸部４２５に押し付けられた状態で係合している。
【００４４】
このロック機構６０は、次のように作動する。常時は、図１５(a) 及び図１７に示すように、ばね６１２がスライダ６１を押し上げ、突起６１３が凹凸部４２５に係合しているので、接触体４２は鍵幅方向への移動が阻止されている。鍵の配列間隔を調整する際には、ばね６１２の力に抗してスライダ６１を上方から押し下げる。その結果、図１５(b) に示すように、スライダ６１は下降し、突起６１３は凹凸部４２５から離脱する。これにより、接触体４２は鍵幅方向に移動可能となるので、適切な位置まで移動した後、スライダ６１の押し下げを解けばよい。これで、スライダ６１はばね６１２により再び押し上げられ、突起６１３が凹凸部４２５に係合して接触体４２の移動が阻止され、適正な鍵の配列間隔が維持される。
【００４５】
なお、波状に並ぶ凹凸部４２５は三角波状、台形波、サインカーブ状等、傾斜を持った形状とし、突起６１３は先細に傾斜させて形成するのが望ましい。こうすれば、スライダ６１の押し下げを解除した時に、上記傾斜に基づき、突起６１３は凹凸部４２５における凹部に自動的に進入する。これにより、移動方向に多段的な調整位置がが容易に行なわれる。例えば、図１７に示すように、凹凸部４２５をピッチｐで形成すれば、長さｐを単位として、位置調整が多段的に行なわれる。このように、多段的な位置調節を可能とすることにより、異なる鍵盤装置に対し、共通の段階表示で調整状態を特定するようにして正規化を図ることができる。
【００４６】
回動支点３０のより好ましい形態を図１８に示す。図１８の(a) は回動支点３０を鍵１０の後部と共に示す縦断面図であり、(b) はそのb−b線に沿う断面図である。図示のように、回動支点３０は、鍵フレーム２０から上方へ延びた基部３１と、該基部に支持され鍵幅方向に延びた支承部３２とを備えている。支承部３２の両端面３２０は、鍵側壁１３との接触面となっており、１つの球面における相互に対向する面（曲率半径Ｒの面）で形成されている。鍵の側壁１３には円形の切欠き部が形成されて、該切欠き部に支承部３２の一部が入り込んで接触状態となっている。鍵側壁１３の切欠き部は、側壁を貫通する貫通孔とし、或いは、側壁内面に開く凹部とすることができる。この構造によれば、支承部３２に対する鍵の傾きに拘わらず、鍵の両側壁と支承部３２の両端面との接触部分の距離が一定となるので、傾きの調整が円滑に行なわれる。尤も、支承部３２の接触面が正確に１つの球面における対向面でなく、ほぼそれに沿う面であっても、鍵側壁がある程度弾性変形することにより、傾きの調整は可能である。
【００４７】
本発明は、上記実施形態に限定されるものではなく、種々の変形が可能である。例えば、支持体に支持された２つの接触体の一方を固定する場合は、これらを別個に形成して接着、ねじ止めなどにより固定するほか、支持体と固定される接触体とを一体成形してもよい。さらに、以上のようにして構成されるガイド部位は３つ以上設けることも可能である。また、上記鍵ガイドは、鍵の傾きの矯正機能と鍵の上下動のガイド機能とを備えるが、電子鍵盤楽器には、これに付加して、傾き矯正機能を備えず上下動のガイド機能のみを備えた鍵ガイドを用いてもよい。位置調節後の接触体の位置を保持するには、支持体の貫通孔との緊い嵌合のほか、支持体の側壁にねじ付きの貫通孔を設け、止めねじを螺合してその先端を接触体に当接させるなど、種々の保持手段を用いることができる。
【図面の簡単な説明】
【００４８】
【図１】配列された鍵盤の平面図である。
【図２】図１に示した鍵盤の一部を示す正面図である。
【図３】本発明の一実施形態に係る電子楽器用鍵盤装置の要部を示す縦断側面図である。
【図４】図１に示した部分の平面図である。
【図５】図１に示した部分の正面図である。
【図６】図１の鍵盤装置において鍵の傾きの矯正を説明するための鍵及び鍵ガイドの縦断正面図である。
【図７】本発明の他の実施形態に係る電子楽器用鍵盤装置の要部を示す縦断側面図である。
【図８】図７に示した部分の平面図である。
【図９】図８のIX−IX線に沿う断面図である。
【図１０】図７の鍵盤装置において鍵の傾きの矯正を説明するための鍵及び鍵ガイドの縦断正面図である。
【図１１】本発明のさらに他の実施形態に係る電子楽器用鍵盤装置の要部を示す縦断側面図である。
【図１２】図１１に示した部分の平面図である。
【図１３】図１１のXIII−XIII線に沿う断面図である。
【図１４】図１１の鍵盤装置における鍵及び鍵ガイドの縦断正面図である。
【図１５】本発明に係る電子楽器用鍵盤装置に用い得る鍵ガイドの他の例を示す縦断正面図である。
【図１６】図１５に示した部分の平面図である。
【図１７】図１６に示した部分の要部拡大図である。
【図１８】本発明に係る電子楽器用鍵盤装置に用い得る回動支点を示し、(a) は縦断正面図、(b) は縦断側面図である。
【符号の説明】
【００４９】
１０：鍵、    １１：上壁、    １２：前壁、    １３：側壁、    １４：中空部、    ２０：鍵フレーム、    ３０：回動支点、    ４０ａ，４０ｂ，４０ｃ，４０ｄ：鍵ガイド、    ４１ａ，４１ｂ，４１ｃ：支持体、    ４２ａ，４２ｂ，４２１，４２２，４２３：接触体（ガイド部位）、    ４１１：突出部（ガイド部位）
【図１】
0005190769.tif 000002
【図２】
0005190769.tif 000003
【図３】
0005190769.tif 000004
【図４】
0005190769.tif 000005
【図５】
0005190769.tif 000006
【図６】
0005190769.tif 000007
【図７】
0005190769.tif 000008
【図８】
0005190769.tif 000009
【図９】
0005190769.tif 000010
【図１０】
0005190769.tif 000011
【図１１】
0005190769.tif 000012
【図１２】
0005190769.tif 000013
【図１３】
0005190769.tif 000014
【図１４】
0005190769.tif 000015
【図１５】
0005190769.tif 000016
【図１６】
0005190769.tif 000017
【図１７】
0005190769.tif 000018
【図１８】
0005190769.tif 000019